(57)【要約】【課題】様々な用途に二次使用することができる飲料物用容器を提供すること。【解決手段】飲料物用容器１０を、延在方向両端部に形成された一対の大径部１ａ、１ｂと、大径部１ａ、１ｂを連結し、大径部１ａ、１ｂよりも径の小さい小径部１ｃとを備えた容器本体１と、大径部１ａに設けられ、容器本体１に対して飲料物を流通させる開口部材３と、開口部材３に着脱自在な蓋部材２とから構成する。また、大径部１ａ、１ｂを略同形状に形成し、容器本体１を、容器本体１の長手方向の中心部ＣＬを挟んで略対称形状にする。さらに、小径部１ｃの外形を丸形に形成したり、小径部１ｃに、人間の指の形に沿った溝部を形成しても良い。【選択図】図１
2008068882.tif 000002
【特許請求の範囲】
【請求項１】
飲料物を収納する飲料物用容器であって、
延在方向両端部に形成された一対の大径部と、前記大径部を連結し、前記大径部よりも径の小さい小径部とを備えた容器本体と、前記大径部の一方に設けられ、前記容器本体に対して飲料物を流通させる開口部材と、前記開口部材に着脱自在な蓋部材とを備えたことを特徴とする飲料物用容器。
【請求項２】
前記一対の大径部は略同形状に形成され、前記容器本体は、前記容器本体の長手方向の中心部を挟んで略対称形状であることを特徴とする請求項１に記載の飲料物用容器。
【請求項３】
前記小径部の外形が筒状に形成されることを特徴とする請求項１または請求項２に記載の飲料物用容器。
【請求項４】
前記小径部に、人間の指の形に沿った溝部が形成されることを特徴とする請求項１〜請求項３の何れか１項に記載の飲料物用容器。
【請求項５】
前記容器本体の外周部に、飲料物に関する情報が記載されたシールド部材が貼付され、少なくとも前記小径部の外周部に位置するシールド部材が滑り止め部材からなることを特徴とする請求項１〜請求項４の何れか１項に記載の飲料物用容器。
【請求項６】
前記大径部に着脱自在な球状部材を有することを特徴とする請求項１〜請求項５の何れか１項に記載の飲料物用容器。
【発明の詳細な説明】
【技術分野】
【０００１】
本発明は、飲料物用容器に関し、例えば、飲料水、お茶、果汁ジュースが充填された容器本体を備えた飲料物用容器に関する。
【背景技術】
【０００２】
一般に、飲料水、お茶、果汁ジュース等の飲料物が収納されたＰＥＴ（ポリエチレンテレフタレート）ボトル等の飲料物用容器は、長手方向一端部に飲み口となる開口部材を有し、全体的に略同一形状の筒状に形成されるようになっている（例えば、特許文献１参照）。
【特許文献１】特開２００５−３２４８５３号公報
【発明の開示】
【発明が解決しようとする課題】
【０００３】
しかしながら、このような従来の飲料物用容器にあっては、全体的に略同一形状の筒状に形成されているため、飲料水を飲料するのに把持するのには適しているが、フィットネス用の器具、例えば、ダンベルとして用いるのには適した形状となっていない。
したがって、使用済みの飲料物用容器をフィットネス用の器具として二次使用することはできず、そのまま廃棄されてしまうことが多いものとなってしまう。
【０００４】
本発明はこのような問題を解決するためになされたもので、様々な用途に二次使用することができる飲料物用容器を提供するものである。
【課題を解決するための手段】
【０００５】
本発明の飲料物用容器は、飲料物を収納する飲料物用容器であって、延在方向両端部に形成された一対の大径部と、前記大径部を連結し、前記大径部よりも径の小さい小径部とを備えた容器本体と、前記大径部の一方に設けられ、前記容器本体に対して飲料物を流通させる開口部材と、前記開口部材に着脱自在な蓋部材とを備えたものから構成されている。
【０００６】
この構成により、容器本体の飲料物を飲み干した後、容器本体に水道水や砂等を充填して飲料物用容器の重量を増大させた後、小径部を把持してフィットネス用のダンベル等の器具として二次使用することができる。
【０００７】
また、一対の大径部が小径部を介して連結されているため、小径部を把持したときに手の幅方向の両側を大径部に近接させることができる。このため、フィットネス中に手に対して容器本体の長手方向がずれた場合に、手を大径部の一方に接触させることができ、飲料物用容器が落下してしまうこと等を防止することができ、フィットネスを継続させることができる。
【０００８】
また、本発明の飲料物用容器は、前記一対の大径部は略同形状に形成され、前記容器本体は、前記容器本体の長手方向の中心部を挟んで略対称形状であるものから構成されている。
【０００９】
この構成により、容器本体を保持してフィットネスを行うときに、容器本体の全体のバランスを均一にすることができるため、すなわち、容器本体の重心が容器本体の長手方向の中心部を挟んで一方に大きく偏るのを防止することができるため、飲料物用容器をダンベルとして機能させることができる。
【００１０】
また、本発明の飲料物用容器は、前記小径部が筒状に形成されるものから構成されている。
この構成により、容器本体を容易に把持することができ、飲料物用容器をダンベルとして機能させることができる。
【００１１】
また、本発明の飲料物用容器は、前記小径部に、人間の指の形に沿った溝部が形成されるものから構成されている。
この構成により、小径部に形成された指の形に沿った溝に指を埋没させるようにして小径部を把持することができるので、容器本体をより一層保持し易くすることができ、飲料物用容器をダンベルとしてより効率的に機能させることができる。
【００１２】
また、本発明の飲料物用容器は、前記容器本体の外周部に、飲料物に関する情報が記載されたシールド部材が貼付され、少なくとも前記小径部の外周部に位置するシールド部材が滑り止め部材からなるものから構成されている。
【００１３】
この構成により、シールド部材を滑り止め部材から構成しているので、小径部を把持してジョギングやウォーキング等のフィットネスを行う場合であっても、飲料物用容器が落下すること等を防止することができる。
【００１４】
また、本発明の飲料物用容器は、前記大径部に着脱自在な球状部材を有するものから構成されている。
【００１５】
この構成により、大径部に球状部材を装着することにより、球状部材を転動させることにより、飲料物用容器全体を転動させることができるため、幼児や犬、猫等のペットが飲料物用容器を転動させて遊ぶことができ、使用済みの飲料物用容器を玩具として二次使用することができる。
【発明の効果】
【００１６】
本発明の飲料物用容器によれば、様々な用途に二次使用することができる飲料物用容器を提供することができる。
【発明を実施するための最良の形態】
【００１７】
以下、本発明の好適な実施の形態について、図面を用いて説明する。
図１〜図１０は、本発明に係る飲料物用容器の一実施の形態を示す図である。
【００１８】
まず、構成を説明する。図１、図２において、飲料物用容器１０は、飲料水、お茶、果汁ジュース、コーヒー等の様々な飲料物が充填（収納）される容器本体１を備えており、この容器本体１は、延在方向両端部に形成され、多角形状（本実施の形態では、六角形）の一対の大径部１ａ、１ｂと、大径部１ａ、１ｂを連結し、大径部１ａ、１ｂよりも径の小さい小径部１ｃとを備えている。なお、容器本体１は、透明であっても良く、ファッション性を考慮した単色または複数色の色が塗られていても良い。
【００１９】
また、大径部１ａには容器本体１に対して飲料物を流通、すなわち、飲料物を容器本体１に充填および容器本体１から流出させる飲み口としての開口部材３が形成されており、この開口部材３の外周部には雄ネジ３ａが形成されている。
【００２０】
また、開口部材３には蓋部材２が着脱自在となっており、この蓋部材２の内周部には雄ネジ３ａに螺合する雌ネジが形成されている。
また、一対の大径部１ａ、１ｂは略同形状に形成されており、蓋部材２および開口部材３を含まない容器本体１は、容器本体１の長手方向の中心部ＣＬを挟んで略対称形状になっている。
【００２１】
また、小径部１ｃの外形は小径部１ｃの延在方向に亘って同一の円筒形状、すなわち、筒状となっている。なお、小径部１ｃの延在方向長さは、成人男性の手の幅よりも１ｃｍ〜５ｃｍ程度大きくすることが好ましい。何故なら小径部１ｃの延在方向長さが１ｃｍよりも小さいと手のサイズが大きい人は小径部１ｃを把持することができず、５ｃｍよりも大きいと、ジョギングやウォーキング等のフィットネス中に手に対して容器本体１ａがずれたときの容器本体１の移動量が大きく、不安定となるからである。
【００２２】
このような構成を有する飲料物用容器１にあっては、蓋部材２を容器本体１から取り外して容器本体１内の飲料物を飲み干した後、容器本体１内を清掃して、図２に示すように容器本体１内に砂Ａ（または、小石、水道水、容器本体１に充填された水を冷やして得られた氷等でも良い）を充填し開口部材３に蓋を装着する。
この状態で使用者は、図３に示すように小径部１ｃを把持して、重量の増大した飲料物用容器１０をダンベルとして使用することができる。
【００２３】
また、ジョギングやウォーキングを行う場合には、未開封の飲料物用容器１０の小径部１ｃを把持しながらジョギングやウォーキングを行うと、重量のある飲料物用容器１０が付加として機能し、運動量を上げることができる。
【００２４】
そして、喉が渇いたときに水分補給を行う場合には、蓋部材２を容器本体１から取り外して容器本体１内の飲料物を飲むことにより、喉の渇きを癒すことができる。また、容器本体１に蓋部材２を装着して飲料物用容器１を付加として用いることにより、ジョギングやウォーキングを継続する。この作業を繰り返しながらジョギングやウォーキングを行い、ジョギングやウォーキングの終了後に容器本体１が空になった場合には、上述したように容器本体１に砂Ａを充填することにより、さらに、飲料物用容器１０をダンベルとして使用することにより、フィットネスを行うこともできる。なお、容器本体１に砂Ａを充填した後に、水を充填して砂を湿らすことにより、重量を増大させるようにしても良い。
【００２５】
このように本実施の形態では、飲料物用容器１０を、延在方向両端部に形成された一対の大径部１ａ、１ｂと、大径部１ａ、１ｂを連結し、大径部１ａ、１ｂよりも径の小さい小径部１ｃとを備えた容器本体１と、大径部１ａに設けられ、容器本体１に対して飲料物を流通させる開口部材３と、開口部材３に着脱自在な蓋部材２とから構成したので、容器本体１の飲料物を飲み干した後、容器本体１に水道水や砂等を充填して飲料物用容器の重量を増大させた後、小径部１ｃを把持してフィットネス用のダンベル等の器具として二次使用することができる。
【００２６】
また、一対の大径部１ａ、１ｂが小径部１ｃを介して連結されているため、小径部１ｃを把持したときに手の幅方向の両側を大径部１ｃに近接させることができる。このため、フィットネス中に手に対して容器本体１の長手方向がずれた場合に、手を大径部の一方に接触させることができ、飲料物用容器１０が落下してしまうこと等を防止することができ、フィットネスを継続させることができる。
【００２７】
また、本実施の形態では、大径部１ａ、１ｂを略同形状に形成し、容器本体１を、容器本体１の長手方向の中心部ＣＬを挟んで略対称形状にしたので、容器本体１を保持してフィットネスを行うときに、容器本体１の全体のバランスを均一にすることができる。すなわち、容器本体１の重心が容器本体１の長手方向の中心部ＣＬを挟んで一方に大きく偏るのを防止することができるため、飲料物用容器１０をダンベルとして機能させることができる。
また、本実施の形態では、小径部１ｃの外形を丸形に形成したので、容器本体１を容易に把持することができ、飲料物用容器１０をダンベルとして機能させることができる。
【００２８】
また、本実施の形態では、小径部１ｃを筒状に形成しているが、これに限らず、図４に示すように、小径部１ｃに、人間の指の形に沿った溝部を形成しても良い。具体的には、小径部１ｃに、指の形に沿った複数の溝部４を形成し、溝部４に指を埋没させるようにして小径部１ｃを把持するようにしても良い。このようにすれば、容器本体１をより一層保持し易くすることができる。このため、飲料物用容器１０をダンベルとしてより効率的に機能させることができる。
【００２９】
また、本実施の形態では、飲料物用容器１０をフィットネス用のダンベルとして使用することができるので、飲料物用容器１０をゴミとして廃棄される機会を少なくすることができ、環境に悪影響を与えるのを抑制することができる。
【００３０】
また、飲料物用容器１０の二次使用方法としては、ダンベルとして使用する以外に、老人の介護や怪我をした人のリハビリ用の負荷として使用するようにしても良い。
また、容器本体１をＰＥＴ等の軽量な材料から構成したので、容器本体１をお風呂で浮かせる等して幼児と一緒に遊ぶことも可能である。
【００３１】
また、図５に示すように、大径部１ａに硬貨６が挿通可能な大きさの開口部５を形成し、開口部５から容器本体１内に硬貨６を挿入することにより、使用済み、すなわち、飲料物が飲み干された後の飲料物用容器１を貯金箱として使用しても良い。
【００３２】
また、図６に示すように、飲料物用容器１０の外周部に、飲料物に関する情報（飲料物の種類、内容量、製造会社、連絡先等）が記載されたシールド部材７を貼付した場合に、小径部１ｃに貼付されたシールド部材７のみをゴム等の摩擦係数の高い材料からなる滑り止め部材から構成するようにしても良い。このようにすれば、小径部１ｃを把持してジョギングやウォーキング等のフィットネスを行う場合であっても、飲料物用容器１０が落下すること等を防止することができる。
【００３３】
また、本実施の形態では、大径部１ａ、１ｂを多角形状にしているが、図７に示すように、飲料物用容器３０を、筒状の大径部２１ａ、２１ｂと大径部２１ａ、２１ｂを連結する小径部２１ｃとを備えた容器本体２１と、大径部２１ａに形成された図示しない開口部材に着脱自在な蓋部材２２とを設けるようにしても良い。
【００３４】
この場合には、大径部２１ａ、２１ｂを図１の大径部１ａ、１ｂよりも大きく形成し、大量の飲料物を容器本体２１に充填できるようにしても良い。具体的には、容器本体１には５００ｍの飲料物を充填し、容器本体２１には１の飲料物を充填できるように容器本体１、２１の形状に設定し、容器本体１、２１の充填量に応じた砂や水道水等を容器本体１、２１に充填することにより、異なる重量のダンベルを提供できるようにし、使用者のレベルに応じた付加でフィットネスを行うことができるようにしても良い。
【００３５】
また、飲料物用容器の形状は、図８に示すように、様々な形状を採用しても良い。具体的には、図８（ａ）に示すように、球状の大径部４１ａ、４１ｂと大径部４１ａ、４１ｂを連結する小径部４１ｃとを備えた容器本体４０と、大径部４１ａに形成された図示しない開口部材に着脱自在な蓋部材４２とを設けるようにしても良い。
【００３６】
また、図８（ｂ）に示すように、円柱状の大径部４４ａ、４４ｂと大径部４４ａ、４４ｂを連結する小径部４４ｃとを備えた容器本体４３と、大径部４４ａに形成された図示しない開口部材に着脱自在な蓋部材４５とを設けるようにしても良い。
【００３７】
また、図８（ｃ）に示すように、大径部４４ａ、４４ｂに溝を形成し、この溝にカラーゴム４６を嵌合してカラーゴム４６を大径部４４ａ、４４ｂから突出させ、大径部４４ａ、４４ｂを載置したときに、カラーゴム４６をクッションとして機能させ、飲料物用容器４３が転動するのを防止するようにしても良い。また、カラーゴム４６としては、複数の色を組合せる等したり、鮮やかな単色を用いる等としてファッション性を付与するようにしても良い。
【００３８】
また、図９に示すように、六角形状の大径部５２ａ、５２ｂと大径部５２ａ、５２ｂを連結する小径部５２ｃとを備えた容器本体５１と、大径部５２ａに形成された図示しない開口部材に着脱自在な蓋部材５３から飲料物用容器を構成し、大径部５２ａ、５２ｂにＰＥＴ等からなるサッカーボールやカラーボール等の球状部材５４を着脱自在にしても良い。この場合には、球状部材５４に大径部５２ａ、５２ｂに嵌合する嵌合溝５４ａを形成すれば良い。
【００３９】
このようにすれば、球状部材５４を転動させることにより、飲料物用容器を転動させることができるので、幼児や犬、猫等のペットが飲料物用容器を転動させて遊ぶことができ、使用済みの飲料物用容器を玩具として二次使用することができる。
【００４０】
また、図１０（ａ）に示すように、使用済みの容器本体１内に犬や猫等のペット用の食物を収納した後、容器本体１に小さな穴を開口し、この穴から食物の匂いを放出させるようにしても良い。
【００４１】
このようにすれば、図１０（ｂ）に示すように、飼い主が飲料物用容器１０を遠くに投げたとき等に、犬が食物の匂い嗅ぎつけて飲料物用容器１０を探し、その飲料物用容器１０の小径部１ｃをくわえて飼い主の居る場所に戻って来る等の遊びをすることができる。
【産業上の利用可能性】
【００４２】
以上のように、本発明に係る飲料物用容器は、様々な用途に二次使用することができるという効果を有し、飲料水、お茶、果汁ジュースが充填された容器本体を備えた飲料物用容器等として有用である。
【図面の簡単な説明】
【００４３】
【図１】本発明の一実施の形態に係る飲料物用容器の正面図
【図２】本発明の一実施の形態に係る飲料物用容器に砂を充填する状態を示す図
【図３】本発明の一実施の形態に係る飲料物用容器をダンベルとして用いている状態を示す図
【図４】本発明の一実施の形態に係る飲料物用容器の小径部の他の形状を示す図
【図５】本発明の一実施の形態に係る飲料物用容器の容器本体の他の形状を示す図
【図６】本発明の一実施の形態に係る飲料物用容器のシールド部材を示す図
【図７】本発明の一実施の形態に係る飲料物用容器の他の形状を示す図
【図８】本発明の一実施の形態に係る飲料物用容器の容器本体の他の形状を示す図
【図９】（ａ）は本発明の一実施の形態に係る飲料物用容器の他の形状を示すその斜視図、（ｂ）は容器本体から球状部材を取り外した状態を示す図
【図１０】本発明の一実施の形態に係る飲料物用容器にペット用の食物を収納した状態を示す図、（ｂ）は飲料物用容器を犬がくわえた状態を示す図
【符号の説明】
【００４４】
１、２１、４０、４３、５１  容器本体
１ａ、１ｂ、２１ａ、２１ｂ、４１ａ、４１ｂ、４４ａ、４４ｂ、５２ａ、５２ｂ  大径部
１ｃ、２１ｃ、４１ｃ、４４ｃ、５２ｃ  小径部
２、２２、４２、４５、５３  蓋部材
３  開口部材
４  溝部
７  シールド部材
１０、３０、  飲料物用容器
５４  球状部材
【図１】
2008068882.tif 000003
【図２】
2008068882.tif 000004
【図３】
2008068882.tif 000005
【図４】
2008068882.tif 000006
【図５】
2008068882.tif 000007
【図６】
2008068882.tif 000008
【図７】
2008068882.tif 000009
【図８】
2008068882.tif 000010
【図９】
2008068882.tif 000011
【図１０】
2008068882.tif 000012